(57)【要約】【課題】読み取られた原稿が特定原稿であるか否かの判定を１つの判定処理部により行いながら、処理に要する時間を抑制する。【解決手段】画像読取装置１は、搬送路の第１の位置において原稿の第一面を読み取って第１画像を生成する第１読取部２３と、搬送路の第１の位置より搬送路後方の第２の位置において原稿の第二面を読み取って第２画像を生成する第２読取部２４と、第１画像と第２画像とを重ね合わせて合成画像を生成する画像合成部４５と、画像合成部４５により生成された合成画像から特定原稿の特徴パターンを検出するパターン検出部４６とを備える。【選択図】図２
2016171539.tif 000002
【特許請求の範囲】
【請求項１】
所定の搬送路に沿って原稿を搬送する搬送手段と、
前記搬送路の第１の位置において前記原稿の第一面を読み取って第１画像を生成する第１読取手段と、
前記搬送路の前記第１の位置より前記搬送路後方の第２の位置において前記原稿の第二面を読み取って第２画像を生成する第２読取手段と、
前記第１画像と前記第２画像とを重ね合わせて合成画像を生成する合成手段と、
前記合成手段により生成された前記合成画像から特定原稿の特徴パターンを検出する検出手段と、
を備える画像読取装置。
【請求項２】
前記第１読取手段により生成された前記第１画像から前記特徴パターンの画像特性を有する画像成分を抽出して第１規定画像を生成する第１規定画像生成手段と、
前記第２読取手段により生成された前記第２画像から前記特徴パターンの前記画像特性を有する画像成分を抽出して第２規定画像を生成する第２規定画像生成手段と、
をさらに備えることを特徴とする請求項１に記載の画像読取装置。
【請求項３】
前記第１規定画像生成手段は、前記第１画像から前記特徴パターンの色成分を抽出して前記第１規定画像を生成し、
前記第２規定画像生成手段は、前記第２画像から前記特徴パターンの前記色成分を抽出して前記第２規定画像を生成することを特徴とする請求項２に記載の画像読取装置。
【請求項４】
前記第１規定画像生成手段は、前記第１画像から前記特徴パターンの周波数成分を抽出して前記第１規定画像を生成し、
前記第２規定画像生成手段は、前記第２画像から前記特徴パターンの前記周波数成分を抽出して前記第２規定画像を生成することを特徴とする請求項２又は３に記載の画像読取装置。
【請求項５】
前記第１画像と前記第２画像とを記憶する記憶手段、
をさらに備え、
前記合成手段は、前記記憶手段から前記第１画像及び前記第２画像を読み出して前記合成画像を生成することを特徴とする請求項１乃至４のいずれかに記載の画像読取装置。
【請求項６】
前記第１読取手段は、前記第一面を所定の読み取りラインに沿って読み取って前記第１画像を構成する第１ライン画像を生成して前記記憶手段に記憶させ、
前記第２読取手段は、前記第二面を所定の読み取りラインに沿って読み取って前記第２画像を構成する第２ライン画像を生成して前記記憶手段に記憶させ、
前記合成手段は、所定ライン数分の前記第１ライン画像又は前記第２ライン画像を読み出して前記合成画像を構成する合成バンド画像を生成し、
前記検出手段は、前記合成手段により前記合成バンド画像が生成されると、前記合成バンド画像から前記特徴パターンを検出することを特徴とする請求項５に記載の画像読取装置。
【請求項７】
前記第１画像の生成が開始されるタイミングと前記第２画像の生成が開始されるタイミングとの差を補正する補正手段、
をさらに備え、
前記補正手段は、最初の前記第１ライン画像と最初の前記第２ライン画像とを読み出すタイミングを合わせて前記記憶手段から読み出し、
前記合成手段は、前記補正手段により読み出される最初の前記第１ライン画像と最初の第２ライン画像とを合成して最初の前記合成バンド画像を生成することを特徴とする請求項６に記載の画像読取装置。
【請求項８】
前記合成手段は、前記記憶手段に所定ライン数分の前記第１ライン画像又は前記第２ライン画像が記憶されると、記憶されている前記第１ライン画像又は前記第２ライン画像を読み出して前記合成バンド画像を生成することを特徴とする請求項６に記載の画像読取装置。
【請求項９】
前記第１ライン画像及び前記第２ライン画像の一方が読み出し可能であって他方が読み出し可能でない場合に、両者とも読み出し可能となるタイミングまで待機してから前記第１ライン画像及び前記第２ライン画像を前記記憶手段から読み出すライン補正手段、
をさらに備え、
前記合成手段は、前記ライン補正手段により読み出される前記第１ライン画像と前記第２ライン画像とを合成して前記合成バンド画像を生成することを特徴とする請求項８に記載の画像読取装置。
【請求項１０】
前記第１画像又は前記第２画像を出力可能な出力手段と、
前記検出手段により前記合成画像から前記特徴パターンが検出された場合に、前記出力手段による出力を禁止する出力制限手段と、
をさらに備えることを特徴とする請求項１乃至９のいずれかに記載の画像読取装置。
【請求項１１】
前記検出手段により前記合成バンド画像から前記特徴パターンが検出された場合に、前記第１読取手段又は前記第２読取手段による前記第１画像又は前記第２画像の生成を禁止する生成制限手段、
をさらに備えることを特徴とする請求項６乃至９のいずれかに記載の画像読取装置。
【請求項１２】
前記検出手段は、
前記合成画像から前記特徴パターンを検出した場合に、前記第１画像及び前記第２画像のそれぞれから前記特徴パターンを検出する原稿検出手段と、
前記原稿検出手段による検出結果に基づいて前記特徴パターンが検出された原稿面を判定する判定手段と、
をさらに備えることを特徴とする請求項１乃至１１のいずれかに記載の画像読取装置。
【請求項１３】
前記判定手段は、前記検出手段により前記合成画像から検出された前記特徴パターンが所定の態様である場合に、前記特徴パターンが前記第一面及び前記第二面から検出されたと判定することを特徴とする請求項１２に記載の画像読取装置。
【請求項１４】
所定の搬送路に沿って原稿を搬送する搬送手段と、前記搬送路の第１の位置において前記原稿の第一面を読み取って第１画像を生成する第１読取手段と、前記搬送路の前記第１の位置より前記搬送路後方の第２の位置において前記原稿の第二面を読み取って第２画像を生成する第２読取手段を備える画像読取装置において実行されるプログラムであって、
前記画像読取装置を、
前記第１画像と前記第２画像とを重ね合わせて合成画像を生成する合成手段、及び、
前記合成手段により生成された前記合成画像から特定原稿の特徴パターンを検出する検出手段、
として機能させることを特徴とするプログラム。
【請求項１５】
前記第１画像と前記第２画像とを記憶する記憶手段をさらに備える画像読取装置において実行され、
前記合成手段は、前記第１画像と前記第２画像とを記憶する記憶手段から前記第１画像及び前記第２画像を読み出して前記合成画像を生成することを特徴とする請求項１４に記載のプログラム。
【請求項１６】
前記第１読取手段は、前記第一面を所定の読み取りラインに沿って読み取って前記第１画像を構成する第１ライン画像を生成して前記記憶手段に記憶させ、前記第２読取手段は、前記第二面を所定の読み取りラインに沿って読み取って前記第２画像を構成する第２ライン画像を生成して前記記憶手段に記憶させる画像読取装置において、
前記合成手段は、所定ライン数分の前記第１ライン画像又は前記第２ライン画像を読み出して前記合成画像を構成する合成バンド画像を生成し、
前記検出手段は、前記合成手段により前記合成バンド画像が生成されると、前記合成バンド画像から前記特徴パターンを検出することを特徴とする請求項１５に記載のプログラム。
【請求項１７】
前記画像読取装置を、
前記第１画像の生成が開始されるタイミングと前記第２画像の生成が開始されるタイミングとの差を補正する補正手段、
としてさらに機能させ、
前記補正手段は、最初の前記第１ライン画像と最初の前記第２ラインとを読み出すタイミングを合わせて前記記憶手段から読み出し、
前記合成手段は、前記補正手段により読み出される最初の前記第１ライン画像と最初の第２ライン画像とを合成して最初の前記合成バンド画像を生成することを特徴とする請求項１６に記載のプログラム。
【請求項１８】
前記合成手段は、前記記憶手段に所定ライン数分の前記第１ライン画像又は前記第２ライン画像が記憶されると、記憶されている前記第１ライン画像又は前記第２ライン画像を読み出して前記合成バンド画像を生成することを特徴とする請求項１６に記載のプログラム。
【請求項１９】
前記画像読取装置を、
前記第１ライン画像及び前記第２ライン画像の一方が読み出し可能であって他方が読み出し可能でない場合に、両者とも読み出し可能となるタイミングまで待機してから前記第１ライン画像及び前記第２ライン画像を前記記憶手段から読み出すライン補正手段、
としてさらに機能させ、
前記合成手段は、前記ライン補正手段により読み出される前記第１ライン画像と前記第２ライン画像とを合成して前記合成バンド画像を生成することを特徴とする請求項１８に記載のプログラム。
【請求項２０】
前記第１画像又は前記第２画像を出力可能な出力手段をさらに備える前記画像読取装置を、
前記検出手段により前記合成画像から前記特徴パターンが検出された場合に、前記出力手段による出力を禁止する出力制限手段、
としてさらに機能させることを特徴とする請求項１４乃至１９のいずれかに記載のプログラム。
【請求項２１】
前記画像読取装置を、
前記検出手段により前記合成バンド画像から前記特徴パターンが検出された場合に、前記第１読取手段又は前記第２読取手段による前記第１画像又は前記第２画像の生成を禁止する生成制限手段、
としてさらに機能させることを特徴とする請求項１８又は１９に記載のプログラム。
【請求項２２】
前記画像読取装置を、
前記合成画像から前記特徴パターンを検出した場合に、前記第１画像及び前記第２画像のそれぞれから前記特徴パターンを検出する原稿検出手段、及び、
前記原稿検出手段による検出結果に基づいて前記特徴パターンが検出された原稿面を判定する判定手段、
としてさらに機能させることを特徴とする請求項１４乃至２１のいずれかに記載のプログラム。
【請求項２３】
前記判定手段は、前記検出手段により前記合成画像から検出された前記特徴パターンが所定の態様である場合に、前記特徴パターンが前記第一面及び前記第二面から検出されたと判定することを特徴とする請求項２２に記載のプログラム。
【発明の詳細な説明】
【技術分野】
【０００１】
本発明は、両面同時読取機能を有する画像読取装置及びプログラムに関し、特に特定原稿を検出する技術に関する。
【背景技術】
【０００２】
従来、原稿の両面を同時に読み取る機能を有する画像読取装置では、原稿の表面と裏面の画像読み取り部が原稿の搬送路においてそれぞれ異なる位置に設けられる。そのため、画像読取装置により読み取られた表面と裏面のそれぞれについて独立して画像読取処理が行われた。すなわち、読み取った画像データを処理する各処理部は、原稿表面用と裏面用の各１個ずつ、装置全体で２個必要とされる場合が多い。
【０００３】
ところで、画像読取装置の中には、読み取った原稿が例えば紙幣や有価証券等の特定原稿であるかどうかの判定機能を備えるものがある。そして、特定原稿であると判定される場合には、原稿の読取処理を停止させるようにして特定原稿の偽造を防止するものが存在する。原稿表面用と裏面用にそれぞれ各処理部を備える画像読取装置においては、特定原稿の判定処理についても、原稿表面用と裏面用の２つの処理部が設けられているのが一般的であった。しかし、これでは画像読取装置が備えなければならない処理部の数が多くなるため、装置の回路規模が２倍となり、装置の構成が複雑化し、また、装置の製造コストが高くなるという問題がある。
【０００４】
そこで、読み取った原稿の表面と裏面の各画像データのそれぞれを主走査方向に縮小し、縮小された２つの画像データを並べて連結することにより連結画像を生成し、当該連結画像に対して特定原稿であるか否かの判定を行う画像処理装置が提供されている（例えば特許文献１）。特許文献１に示される画像処理装置によると、特定原稿であるか否かの判定を行う処理部は１つで足り、２つの処理部を設ける必要がない。しかし、特許文献１の画像処理装置には以下に示すような問題点がある。図１６は、このような従来技術における原稿の表面画像と裏面画像を連結させる場合を示す図である。図１６（ａ）は原稿の表面に埋め込まれた特定原稿判定用の特徴パターン１０１、１０２の一例を示すものである。例えば図１６（ａ）に示すように、原稿の表面側には、２つの特徴パターン１０１，１０２が埋め込まれている。原稿の表面を読み取った画像Ｇａから特徴パターン１０１，１０２を検知するためには、画像Ｇａの全体を、特徴パターン１０１，１０２の大きさに対応した複数のブロックＢ１００で分割し、各ブロックＢ１００に特徴パターン１０１，１０２の少なくとも１部を構成する画像成分が含まれているか否かを１つずつ判定していく処理が行われる。図１６（ｂ）は原稿の裏面に埋め込まれた特定原稿判定用の特徴パターン１０３の一例を示すものである。そして、読み取り部においてそれぞれ読み取られた原稿表面と裏面の画像は、図１６（ｃ）に示すようにそれぞれ縮小されてから連結され、１つの画像Ｇｃが生成される。生成された１つの画像Ｇｃに対して１つの処理部によって特定原稿か否かを判定することが可能である。
【先行技術文献】
【特許文献】
【０００５】
【特許文献１】特快２００５−２６８８０号公報
【発明の概要】
【発明が解決しようとする課題】
【０００６】
しかし、特許文献１の従来技術のように、２つの画像データがそれぞれ元のサイズの半分に圧縮された状態では、特徴パターン１０１，１０２，１０３の検出のために読み取るべきブロックＢ１００の数が、表面及び裏面の２つの画像の場合と同じである。そうすると、１つの画像Ｇｃを生成する場合、読み取るべきブロックの数は減少することなく依然として２つの画像と変わらないため、１つの処理部により特徴パターンを検出する処理を行う場合には、検出処理に１つの画像について行う場合の２倍の時間を要することになる。
【０００７】
そこで、本発明は、このような問題点を解決すべくなされたものであり、読み取られた原稿が特定原稿であるか否かの判定を１つの判定処理部により行うようにしながら、判定処理にかかる時間を抑制可能な画像読取装置およびプログラムを提供することを目的とする。
【課題を解決するための手段】
【０００８】
上記目的を達成するため、請求項１の発明は、所定の搬送路に沿って原稿を搬送する搬送手段と、前記搬送路の第１の位置において前記原稿の第一面を読み取って第１画像を生成する第１読取手段と、前記搬送路の前記第１の位置より前記搬送路後方の第２の位置において前記原稿の第二面を読み取って第２画像を生成する第２読取手段と、前記第１画像と前記第２画像とを重ね合わせて合成画像を生成する合成手段と、前記合成手段により生成された前記合成画像から特定原稿の特徴パターンを検出する検出手段とを備えることを特徴とする画像読取装置である。
【０００９】
請求項２の発明は、請求項１に記載の画像読取装置であって、前記第１読取手段により生成された前記第１画像から前記特徴パターンの画像特性を有する画像成分を抽出して第１規定画像を生成する第１規定画像生成手段と、前記第２読取手段により生成された前記第２画像から前記特徴パターンの前記画像特性を有する画像成分を抽出して第２規定画像を生成する第２規定画像生成手段とをさらに備えることを特徴としている。
【００１０】
請求項３の発明は、請求項２に記載の画像読取装置であって、前記第１規定画像生成手段は、前記第１画像から前記特徴パターンの色成分を抽出して前記第１規定画像を生成し、前記第２規定画像生成手段は、前記第２画像から前記特徴パターンの前記色成分を抽出して前記第２規定画像を生成することを特徴としている。
【００１１】
請求項４の発明は、請求項２又は３に記載の画像読取装置であって、前記第１規定画像生成手段は、前記第１画像から前記特徴パターンの周波数成分を抽出して前記第１規定画像を生成し、前記第２規定画像生成手段は、前記第２画像から前記特徴パターンの前記周波数成分を抽出して前記第２規定画像を生成することを特徴としている。
【００１２】
請求項５の発明は、請求項１乃至４のいずれかに記載の画像読取装置であって、前記第１画像と前記第２画像とを記憶する記憶手段をさらに備え、前記合成手段は、前記記憶手段から前記第１画像及び前記第２画像を読み出して前記合成画像を生成することを特徴としている。
【００１３】
請求項６の発明は、請求項５に記載の画像読取装置であって、前記第１読取手段は、前記第一面を所定の読み取りラインに沿って読み取って前記第１画像を構成する第１ライン画像を生成して前記記憶手段に記憶させ、前記第２読取手段は、前記第二面を所定の読み取りラインに沿って読み取って前記第２画像を構成する第２ライン画像を生成して前記記憶手段に記憶させ、前記合成手段は、所定ライン数分の前記第１ライン画像又は第２ライン画像を読み出して前記合成画像を構成する合成バンド画像を生成し、前記検出手段は、前記合成手段により前記合成バンド画像が生成されると、前記合成バンド画像から前記特徴パターンを検出することを特徴としている。
【００１４】
請求項７の発明は、請求項６に記載の画像読取装置であって、前記第１画像の生成が開始されるタイミングと前記第２画像の生成が開始されるタイミングとの差を補正する補正手段をさらに備え、前記補正手段は、最初の前記第１ライン画像と最初の前記第２ライン画像とを読み出すタイミングを合わせて前記記憶手段から読み出し、前記合成手段は、前記補正手段により読み出される最初の前記第１ライン画像と最初の第２ライン画像とを合成して最初の前記合成バンド画像を生成することを特徴としている。
【００１５】
請求項８の発明は、請求項６に記載の画像読取装置であって、前記合成手段は、前記記憶手段に所定ライン数分の前記第１ライン画像又は前記第２ライン画像が記憶されると、記憶されている前記第１ライン画像又は前記第２ライン画像を読み出して前記合成バンド画像を生成することを特徴としている。
【００１６】
請求項９の発明は、請求項８に記載の画像読取装置であって、前記第１ライン画像及び前記第２ライン画像の一方が読み出し可能であって他方が読み出し可能でない場合に、両者とも読み出し可能となるタイミングまで待機してから前記第１ライン画像及び前記第２ライン画像を前記記憶手段から読み出すライン補正手段をさらに備え、前記合成手段は、前記ライン補正手段により読み出される前記第１ライン画像と前記第２ライン画像とを合成して前記合成バンド画像を生成することを特徴としている。
【００１７】
請求項１０の発明は、請求項１乃至９のいずれかに記載の画像読取装置であって、前記第１画像又は前記第２画像を出力可能な出力手段と、前記検出手段により前記合成画像から前記特徴パターンが検出された場合に、前記出力手段による出力を禁止する出力制限手段とをさらに備えることを特徴としている。
【００１８】
請求項１１の発明は、請求項６乃至９のいずれかに記載の画像読取装置であって、前記検出手段により前記合成バンド画像から前記特徴パターンが検出された場合に、前記第１読取手段又は前記第２読取手段による前記第１画像又は前記第２画像の生成を禁止する生成制限手段をさらに備えることを特徴としている。
【００１９】
請求項１２の発明は、請求項１乃至１１のいずれかに記載の画像読取装置であって、前記検出手段は、前記合成画像から前記特徴パターンを検出した場合に、前記第１画像及び前記第２画像のそれぞれから前記特徴パターンを検出する原稿検出手段と、前記原稿検出手段による検出結果に基づいて前記特徴パターンが検出された原稿面を判定する判定手段とをさらに備えることを特徴としている。
【００２０】
請求項１３の発明は、請求項１２に記載の画像読取装置であって、前記判定手段は、前記検出手段により前記合成画像から検出された前記特徴パターンが所定の態様である場合に、前記特徴パターンが前記第一面及び前記第二面から検出されたと判定することを特徴としている。
【００２１】
請求項１４の発明は、所定の搬送路に沿って原稿を搬送する搬送手段と、前記搬送路の第１の位置において前記原稿の第一面を読み取って第１画像を生成する第１読取手段と、前記搬送路の前記第１の位置より前記搬送路後方の第２の位置において前記原稿の第二面を読み取って第２画像を生成する第２読取手段を備える画像読取装置において実行されるプログラムであって、前記画像読取装置を、前記第１画像と前記第２画像とを重ね合わせて合成画像を生成する合成手段、及び、前記合成手段により生成された前記合成画像から特定原稿の特徴パターンを検出する検出手段として機能させることを特徴としている。
【００２２】
請求項１５の発明は、請求項１４に記載のプログラムであって、前記第１画像と前記第２画像とを記憶する記憶手段をさらに備える画像読取装置において実行され、前記合成手段は、前記第１画像と前記第２画像とを記憶する記憶手段から前記第１画像及び前記第２画像を読み出して前記合成画像を生成することを特徴としている。
【００２３】
請求項１６の発明は、請求項１５に記載のプログラムであって、前記第１読取手段は、前記第一面を所定の読み取りラインに沿って読み取って前記第１画像を構成する第１ライン画像を生成して前記記憶手段に記憶させ、前記第２読取手段は、前記第二面を所定の読み取りラインに沿って読み取って前記第２画像を構成する第２ライン画像を生成して前記記憶手段に記憶させる画像読取装置において、前記合成手段は、所定ライン数分の前記第１ライン画像又は前記第２ライン画像を読み出して前記合成画像を構成する合成バンド画像を生成し、前記検出手段は、前記合成手段により前記合成バンド画像が生成されると、前記合成バンド画像から前記特徴パターンを検出することを特徴としている。
【００２４】
請求項１７の発明は、請求項１６に記載のプログラムであって、前記画像読取装置を、前記第１画像の生成が開始されるタイミングと前記第２画像の生成が開始されるタイミングとの差を補正する補正手段としてさらに機能させ、前記補正手段は、最初の前記第１ライン画像と最初の前記第２ラインとを読み出すタイミングを合わせて前記記憶手段から読み出し、前記合成手段は、前記補正手段により読み出される最初の前記第１ライン画像と最初の第２ライン画像とを合成して最初の前記合成バンド画像を生成することを特徴としている。
【００２５】
請求項１８の発明は、請求項１６に記載のプログラムであって、前記合成手段は、前記記憶手段に所定ライン数分の前記第１ライン画像又は前記第２ライン画像が記憶されると、記憶されている前記第１ライン画像又は前記第２ライン画像を読み出して前記合成バンド画像を生成することを特徴としている。
【００２６】
請求項１９の発明は、請求項１８に記載のプログラムであって、前記画像読取装置を前記第１ライン画像及び前記第２ライン画像の一方が読み出し可能であって他方が読み出し可能でない場合に、両者とも読み出し可能となるタイミングまで待機してから前記第１ライン画像及び前記第２ライン画像を前記記憶手段から読み出すライン補正手段としてさらに機能させ、前記合成手段は、前記ライン補正手段により読み出される前記第１ライン画像と前記第２ライン画像とを合成して前記合成バンド画像を生成することを特徴としている。
【００２７】
請求項２０の発明は、請求項１４乃至１９のいずれかに記載のプログラムであって、前記第１画像又は前記第２画像を出力可能な出力手段をさらに備える前記画像読取装置を、前記検出手段により前記合成画像から前記特徴パターンが検出された場合に、前記出力手段による出力を禁止する出力制限手段としてさらに機能させることを特徴としている。
【００２８】
請求項２１の発明は、請求項１８又は１９に記載のプログラムであって、前記画像読取装置を前記検出手段により前記合成バンド画像から前記特徴パターンが検出された場合に、前記第１読取手段又は前記第２読取手段による前記第１画像又は前記第２画像の生成を禁止する生成制限手段としてさらに機能させることを特徴としている。
【００２９】
請求項２２の発明は、請求項１４乃至２１のいずれかに記載のプログラムであって、前記画像読取装置を、前記合成画像から前記特徴パターンを検出した場合に、前記第１画像及び前記第２画像のそれぞれから前記特徴パターンを検出する原稿検出手段、及び前記原稿検出手段による検出結果に基づいて前記特徴パターンが検出された原稿面を判定する判定手段としてさらに機能させることを特徴としている。
【００３０】
請求項２３の発明は、請求項２２に記載のプログラムであって、前記判定手段は、前記検出手段により前記合成画像から検出された前記特徴パターンが所定の態様である場合に、前記特徴パターンが前記第一面及び前記第二面から検出されたと判定することを特徴としている。
【発明の効果】
【００３１】
本発明の画像読取装置によると、読み取った原稿の第一面及び第二面の２つの画像について特定原稿であるか否か１つの処理により判定するとしながら、１つの画像について判定を行う場合に要する時間と略同じ時間で第一面及び第二面について判定可能となる。
【図面の簡単な説明】
【００３２】
【図１】（ａ）は両面同時読取可能な画像読取装置の一構成例を示す図であり、（ｂ）はスキャン部の拡大図である。
【図２】本実施形態の画像読取装置のハードウェア構成及び機能構成の一例を示すブロック図である。
【図３】特定原稿の第一面（ａ）と第二面（ｂ）の一構成例を示す図である。また、（ｃ）は合成画像の一構成例を示す図である。
【図４】特定原稿に埋め込まれた特徴パターンの画像成分を抽出して合成画像を生成する場合の例を示す図である。
【図５】原稿の第一面と第二面を読み取って合成画像を生成する場合の一例を示すタイミングチャートである。
【図６】原稿の第一面と第二面を読み出して合成画像を生成するタイミングを揃える場合の一例を示すタイミングチャートである。
【図７】第１画像と第２画像を構成するライン画像におけるずれを補正する場合の一例を示すタイミングチャートである。
【図８】合成画像において特徴パターンが通常と異なる態様で表示される場合の一例を示す図である。
【図９】合成画像において特徴パターンが通常と異なる態様で表示される場合の一例を示す図である。
【図１０】本実施形態の画像読取装置で行われる主な処理手順の一例を示すフローチャートである。
【図１１】（ａ）第１読取処理の詳細な処理手順の一例を示すフローチャートである。（ｂ）第２読取処理の詳細な処理手順の一例を示すフローチャートである。
【図１２】合成処理の詳細な処理手順の一例を示すフローチャートである。
【図１３】補正処理の詳細な処理手順の一例を示すフローチャートである。
【図１４】パターン検出処理の詳細な処理手順の一例を示すフローチャートである。
【図１５】原稿面判定処理の詳細な処理手順の一例を示すフローチャートである。
【図１６】従来技術における特定原稿の検出処理の一例を示す図である。
【発明を実施するための形態】
【００３３】
以下、本発明に関する好ましい実施形態について、図面を参照しつつ詳細に説明する。なお、以下に説明する実施形態において互いに共通する部材には同一符合を付しており、それらにつき重複する説明は省略する。
【００３４】
図１（ａ）は、本実施形態における画像読取装置１の一構成例を示す図である。画像読取装置１は、例えば複合機（Multi Functional peripherals）であり、画像読取可能なスキャナ部５と、所定の搬送路に沿って原稿を搬送するＡＤＦ（Auto Document Feeder）６と、ユーザーにより操作可能な操作パネル８を備える。図１（ｂ）は、スキャナ部５とＡＤＦ６を拡大した図である。スキャナ部５は、第１撮像部１０と、第２撮像部１２とを備える。第１撮像部１０は、原稿の表面の画像を読み取ることが可能なＣＣＤ（Charge Coupled Device）などで構成され、カラー原稿及びモノクロ原稿の読み取りが可能である。第２撮像部１２は原稿の裏面の画像を読み取ることが可能なＣＩＳ（Contact Image Sensor）などで構成され、第１撮像部１０と同じくカラー原稿及びモノクロ原稿の読み取りが可能である。ＡＤＦ６は、原稿トレイ６ａと、搬送ローラー６ｂを備える。
【００３５】
原稿トレイ６ａにセットされた原稿は、図示しないピックアップローラーにより取り出され、矢印Ｆ１方向に送り出され、搬送ローラー６ｂにより搬送される。搬送路において第１の撮像位置Ｐ１を通過した後、第２の撮像位置Ｐ２を通過して排紙位置に排出される。原稿は、搬送路を移動中、まず第１の撮像位置Ｐ１において図示しない照明ランプが原稿表面に光を照射し、その反射光がミラー１５、レンズ１６を経て第１撮像部１０に入射し、原稿表面の画像が読み取られる。次に、第１の撮像位置Ｐ１より搬送路後方の第２の撮像位置Ｐ２において第２撮像部１２により裏面の画像が読み取られる。
【００３６】
画像読取装置１における処理の一例として、原稿表面の画像と裏面の画像が生成されると、表面の画像と裏面の画像とを重ね合わせて１つの合成画像を生成し、生成した合成画像から特定原稿の特徴パターンを検出する。表面の画像と裏面の画像とを重ね合わせて両者を合成した場合、データ圧縮などを行っていないため画像を構成するブロック数は変化しない。すなわち、２つの画像を重ね合わせて対応するブロック毎に加算合成処理を行うため、ブロックの数に変化はない。そうすると、生成された合成画像に特定原稿の特徴パターンが含まれているか否かを判定するために処理対象となるブロックの数は、１つの画像のブロック数と同じである。そのため、原稿表面と裏面の２つの画像について、１つの画像と同じ処理時間で特徴パターンの検出を行うことが可能となる。
【００３７】
図２は、画像読取装置１のハードウェア構成及び機能構成の一例を示すブロック図である。画像読取装置１は、原稿の第一面に対する読取処理を行う第１読取ユニット２１と、原稿の第二面に対する読取処理を行う第２読取ユニット２２と、第１読取ユニット２１及び第２読取ユニット２２で生成された画像を記憶する画像バッファ３０と、画像バッファ３０に記憶される画像を読み出して特徴パターンを含むか否かの判定を行うＣＰＵ３５と、ＣＰＵ３５からの要求に応じて画像読取装置１における画像読取処理の制御を行うコントローラー４０と、生成された画像の出力を行う出力部３８とを備える。
【００３８】
第１読取ユニット２１はさらに、第１撮像部１０と、第１読取部２３と、第１規定画像生成部２５とを備える。第１読取部２３は、原稿を搬送する搬送路の第１の撮像位置Ｐ１において原稿の第一面を読み取って第１画像を生成する処理部である。第１読取部２３は、第１撮像部１０が原稿を読み取って取得したアナログ信号をデジタル信号に変換する。第１読取部２３は、生成した第１画像データを第１規定画像生成部２５に送り、第１規定画像生成部２５は、第１画像から特定原稿の特徴パターンの画像特性を有する画像成分を抽出して第１規定画像を生成する。第１規定画像生成部２５は、図示しない記憶装置に記憶される特徴パターンに関する特徴パターン情報を読み出し、第１画像から特徴パターンの特性となる成分を抽出して第１規定画像を生成する。
【００３９】
図３は原稿の表面（第一面）及び裏面（第二面）を読み取って生成した画像の一例を示す図である。図例では特定原稿の一例として株券を示す。図３（ａ）は、第１読取部２３が特定原稿の表面（第一面）を読み取ることにより生成した第１画像Ｐ１の構成例である。第１画像Ｐ１は、特徴パターンＲ１と、原稿の内容を示す内容部Ｒ２とを備える。原稿の内容として、株券の場合には株券であることの表示、権利内容、所有者、或いは株券の譲渡履歴などが含まれる。一般的に特徴パターンＲ１は視認し難い態様にて原稿に表示される。図４（ａ）は、第１規定画像生成部２５が第１画像から特徴パターンＲ１の画像特性を有する画像成分を抽出して生成した第１規定画像の表示例を示す図である。図４（ａ）の第１規定画像Ｐ１０は、特徴パターンＲ１の所定の画像特性を有する成分のみが第１画像Ｐ１から抽出されて生成されている。第１規定画像生成部２５が第１画像Ｐ１から特徴パターンＲ１の画像特性を有する画像成分を抽出して第１規定画像を生成することにより、第１画像に比べて短時間で特定原稿であるか否かを判定可能となる。
【００４０】
第１規定画像生成部２５が第１規定画像生成の際に用いる特徴パターンＲ１の画像特性として、例えば色成分が挙げられる。この場合第１規定画像生成部２５は、第１画像Ｐ１から特徴パターンの色成分を抽出して第１規定画像を生成する。特徴パターンの色成分を抽出して第１規定画像を生成することにより、特徴パターンの色成分とは異なる色成分が含まれない第１規定画像が生成される。そうすると、第１規定画像のデータサイズを軽くすることが可能となり、第１規定画像が画像バッファ３０へ記憶される場合に画像バッファ３０の記憶容量を削減できる。
【００４１】
これとは異なり、第１規定画像生成部２５は、特徴パターンＲ１の画像特性として周波数成分を用いることが可能である。すなわち、特徴パターンＲ１は、第１画像Ｐ１の空間周波数領域において特定の周波数領域に含まれることが多い。そのため、第１画像Ｐ１から特定の周波数成分の画像を抽出することにより特徴パターンＲ１を含む画像を抽出することができる。この場合、第１規定画像生成部２５は、第１画像から特徴パターンの周波数成分を抽出して第１規定画像を生成する。特徴パターンＲ１は、特定原稿上に所定の周波数にて表示される。そして、第１規定画像生成部２５はフィルタにより第１画像に表示される画像のうち、特徴パターンＲ１の周波数に一致する画像成分のみを抽出可能である。これにより、第１規定画像のデータサイズを軽くすることが可能となる。また、第１画像から特徴パターンを検出する場合に比べて短時間で特徴パターンの検出を行うことができる。
【００４２】
第２読取ユニット２２は、第２撮像部１２と、第２読取部２４と、第２規定画像生成部２６とを備える。第２読取部２４は、第２撮像部１２から原稿の裏面（第二面）を読み取って生成したアナログデータを取得し、これをデジタルデータに変換する。第２読取部２４は、第１読取部２３と同様に、生成した第２画像を第２規定画像生成部２６に送り、第２規定画像生成部２６は、第２画像から特徴パターンの画像特性を有する画像成分を抽出して第２規定画像を生成する。第２規定画像生成部２６は、第１規定画像生成部２５と同様に、特徴パターンの画像特性のうち、色成分を用いて第２画像から画像成分を抽出して第２規定画像を生成する。または、これとは異なり、第２規定画像生成部２６は、特徴パターンの周波数と同じ周波数の画像成分を第２画像から抽出することにより、第２規定画像を生成することも可能である。
【００４３】
画像バッファ３０は、例えば複数ライン分の画像を記憶可能なメモリなどで構成され、第１読取部２３により生成された第１画像と第２読取部２４により生成された第２画像とを記憶する記憶可能領域である。第１読取部２３及び第２読取部２４は、第一面及び第二面をそれぞれ所定の読み取りラインに沿って読み取って第１画像及び第２画像を構成する第１ライン画像及び第２ライン画像を生成し、画像バッファ３０に記憶させる。あるいは、第１規定画像生成部２５及び第２規定画像生成部２６は、第１ライン画像及び第２ライン画像に対応する第１規定画像及び第２規定画像を生成して画像バッファ３０に記憶させてもよい。画像バッファ３０にライン画像が記憶されることにより、所定数のライン画像が画像バッファ３０に記憶されるごとに、画像合成部４５が読み出して合成画像を構成する合成バンド画像を生成する。これにより、第一面又は第二面の読取完了前であっても合成バンド画像により特徴パターンの検出が可能となる。そうすると、特定原稿が読み込まれた場合に早い段階で特徴パターンの検出が可能となり、以降の処理を停止させることが可能となる。
【００４４】
ＣＰＵ３５は、図示しない記憶部に記憶されるプログラムを実行することにより、第一面及び第二面を読み取ることにより生成される第１画像及び第２画像を合成して合成画像を生成する画像合成部４５と、合成画像から特定原稿の特徴パターンを検出するパターン検出部４６と、パターン検出部４６により特徴パターンが検出された場合に出力を制御する出力制御部４７として機能する。
【００４５】
画像合成部４５は、第１画像と第２画像とを重ね合わせて合成画像を生成する処理部である。画像合成部４５は、第１読取部２３及び第２読取部２４によりそれぞれ第１画像及び第２画像が生成され、画像バッファ３０に記憶された場合に、画像バッファ３０から第１画像及び第２画像を読み出して合成画像を生成する。図３に示すように、画像合成部４５は、図３（ａ）の第１画像Ｐ１と、図３（ｂ）の第２画像Ｐ２とを重ね合わせて図３（ｃ）に示すように合成画像Ｐ３を生成する。合成画像Ｐ３の生成において、第１画像Ｐ１及び第２画像Ｐ２のデータは縮小されておらず、１つの画像におけるデータブロック数と同じブロック数である。これにより、合成画像を読み取って特徴パターンを検出する際に、処理時間は１つの画像に対する処理と略同じ時間となる。
【００４６】
また、第１規定画像生成部２５及び第２規定画像生成部２６により第１画像及び第２画像の画像特性を有する画像成分が抽出され、第１規定画像及び第２規定画像が生成される場合に、第１規定画像生成部２５及び第２規定画像生成部２６は、生成した第１規定画像及び第２規定画像を画像バッファ３０に記憶させる。画像合成部４５は、画像バッファ３０に記憶された第１規定画像及び第２規定画像を読み出して重ね合わせて合成画像を
生成してもよい。図４において、（ａ）に第１規定画像生成部２５により生成された第１規定画像Ｐ１０の例を示し、（ｂ）に第２規定画像生成部２６により生成された第２規定画像Ｐ１１の例を示す。そして、（ｃ）に示すように画像合成部４５は、第１規定画像と第２規定画像とを重ね合わせて合成画像を生成する。第１画像Ｐ１と第２画像Ｐ２とを重ね合わせて合成画像Ｐ３を生成する場合と比べ、第１規定画像Ｐ１０と第２規定画像Ｐ１１とを重ね合わせて合成画像Ｐ１２を生成する場合の方が合成画像のデータ量が軽いため、パターン検出部４７が合成画像Ｐ１２に特徴パターンが含まれるか検出する時間を短縮化できる。
【００４７】
さらに、第１読取部２３及び第２読取部２４が第一面及び第二面をそれぞれ所定の読み取りラインに沿って読み取って、第１画像及び第２画像を生成する第１ライン画像及び第２ライン画像を生成する場合に、画像合成部４５は、画像バッファ３０に記憶される第１ライン画像又は第２ライン画像を読み出して合成バンド画像を生成する。第１画像及び第２画像がそれぞれ所定の読み取りラインに沿って生成される場合、第１規定画像生成部２５及び第２規定画像生成部２６は第１ライン画像及び第２ライン画像に対応して第１規定画像及び第２規定画像を生成する。例えば図４に示すように、第１規定画像及び第２規定画像は読み取りラインＲ１からＲ６の各画像から構成される。
【００４８】
そして、図４（ｃ）に示す合成画像もラインＲ１からＲ６の各画像から構成される。第１読取部２３及び第２読取部２４が第一面及び第二面をそれぞれ所定の読み取りラインに沿って読み取り、第１ライン画像および第２ライン画像を生成すると、第１規定画像生成部２５及び第２規定画像生成部２６は、これに応じて第１ライン画像及び第２ライン画像に対応する第１規定ライン画像および第２規定ライン画像を生成する。そして、第１規定画像生成部２５と第２規定画像生成部２６は、画像バッファ３０に第１規定ライン画像及び第２規定ライン画像を記憶させる。画像合成部４５は、所定ライン数分の第１規定ライン画像又は第２ライン規定画像を読み出して合成バンド画像を生成する。画像合成部４５が合成バンド画像を生成すると、パターン検出部４６は、合成バンド画像から特徴パターンを検出する。すなわち、合成バンド画像ごとに特徴パターンの検出を行うため、原稿の読み取りが終了する前に特徴パターンが検出されることがある。そうすると、原稿の読取処理が終了する前に、この原稿が特定原稿であると判定され、これに基づき読取処理を直ちに停止させることが可能となる。
【００４９】
画像合成部４５は、画像バッファ３０に所定ライン数分の第１ライン画像又は第２ライン画像が記憶されると、記憶されている第１ライン画像又は第２ライン画像を読み出して、合成バンド画像を生成してもよい。図５は、第１画像、第２画像及び合成画像の生成タイミングを示したタイミングチャートである。第一面を読み取る第１の撮像位置Ｐ１が第二面を読み取る第２の撮像位置Ｐ２より搬送路先方に位置するため、第一面が第二面より先に読み取られる。そのため、第１ライン画像がタイミングｔ１において生成開始される。第１ライン画像の生成が開始されると、画像合成部４５は画像バッファ３０に記憶された所定数の第１ライン画像を読み出して合成バンド画像の生成を開始する。そのため、合成バンド画像もタイミングｔ１から生成が開始される。
【００５０】
次に、タイミングｔ２にて原稿が第２の撮像位置Ｐ２に達したため、第２読取部２４が第２ライン画像の生成を開始する。タイミングｔ２からｔ３までの間、第１ライン画像及び第２ライン画像がそれぞれ生成されて画像バッファ３０に記憶される。そうすると画像合成部４５は、タイミングｔ２からｔ３までの間、所定数の第１ライン画像及び第２ライン画像を画像バッファから読み出して合成バンド画像を生成する。そして、原稿第一面の読み取りが終了するとタイミングｔ３で第１ライン画像の生成が終了し、その後、原稿第二面の読み取りが終了してタイミングｔ４で第２ライン画像の生成が終了すると、合成バンド画像の生成も終了する。そして、タイミングｔ４からｔ５までの間に、原稿は排紙位置まで搬送されて排紙される。また、パターン検出部４６は、最後列の合成バンド画像から特徴パターンの検出を行う（判定時間）。複数枚の原稿を連続して読み取る場合、タイミングｔ４からｔ５までの間に、次の原稿が第１の撮像位置Ｐ１まで搬送されており、先の原稿について排紙がされ、また、最後列の合成バンド画像に対する特徴パターンの検出が終了すると、次の原稿の読み取りが開始し、第１バンド画像の生成が開始する。すなわち、第１バンド画像と第２バンド画像の画像合成部４５への読み出しタイミングを揃えない場合、第１バンド画像の生成が開始するのと略同じタイミングで合成バンド画像の生成を開始可能である。
【００５１】
補正部５０は、第１画像の生成が開始されるタイミングと第２画像の生成が開始されるタイミングとの差を補正する処理部である。補正部５０は、最初の第１ライン画像と最初の第２ライン画像とを読み出すタイミングを合わせて画像バッファから読み出す。そしてこの場合、画像合成部４５は、補正部５０により読み出される最初の第１ライン画像と第２ライン画像とを合成して最初の合成バンド画像を生成する。図６は、第１ライン画像の生成を開始するタイミングを第２ライン画像の生成を開始するタイミングに補正する場合の一例を示すタイミングチャートである。タイミングｔ１において原稿は第１の撮像位置Ｐ１に到達しており、第１読取部２３は第１ライン画像の生成を開始し、生成した第１ライン画像を画像バッファ３０に記憶させる。しかし、原稿は第１の撮像位置Ｐ１より搬送路後方の第２の撮像位置Ｐ２に到達してないため、第２読取部２４は第２ライン画像の生成を開始できない。そこで補正部５０は、第２ライン画像を読み出すタイミングまで画像バッファ３０に記憶されている第１ライン画像の読み出しを行わない。そして、タイミングｔ２にて原稿が第２の撮像位置Ｐ２に達したため第２読取部２４は第２ライン画像の生成を開始し、生成した第２ライン画像を画像バッファに記憶させる。そうすると、第２ライン画像も読み出し可能となる。そこで、補正部５０は、最初の第１ライン画像及び最初の第２ライン画像を読み出し、画像合成部４５は、補正部５０により読み出される最初の第１ライン画像と最初の第２ライン画像とを合成して最初の合成バンド画像を生成する。これにより、第１ライン画像と第２ライン画像とのずれがない状態で合成バンド画像が生成される。そうすると、合成バンド画像において第１ライン画像と第２ライン画像とが揃うため、パターン検出部４６による検出処理を良好に行うことができる。また、第１ライン画像と第２ライン画像との読み出しタイミングを揃えた場合、第２ライン画像生成終了タイミングと第１ライン画像終了タイミングが揃う。そうすると、図５に示したタイミングを揃えない場合と読取処理の終了時間を比べると、いずれも略同じタイミングで処理を終了する。よって、補正部５０により第１画像と第２画像とのタイミングの差を補正したとしても、原稿の読取処理は遅延しないのである。
【００５２】
補正部５０は、第１ライン画像及び第２ライン画像の一方が読み出し可能であって他方が読み出し可能でない場合に、両者とも読み出し可能となるタイミングまで待機してから第１ライン画像及び第２ライン画像を画像バッファ３０から読み出すライン補正手段として機能する。図７は第１ライン画像と第２ライン画像の読み出しタイミングを補正する一例を示す図である。図７（ａ）において、所定タイミングごとに所定数の第１ライン画像が読み出され、合成バンド画像が生成されている。タイミングｔ１にて第１ライン画像と第２ライン画像とを読み出すと、第２ライン画像は所定数に達していないにもかかわらず読み出されて合成バンド画像ＧＢ１が生成される。そうすると、合成バンド画像ＧＢ１における第１ライン画像と第２ライン画像との合成比率が他の合成バンド画像における合成比率と異なる結果になる。そこで、このような事態が生じることを防止するため、図７（ｂ）のようにタイミングｔ１において第２ライン画像を読み出さず待機し、第１ライン画像のみ読み出して合成バンド画像を生成する。そして、タイミングｔ２において第１ライン画像及び第２ライン画像のいずれも読み出し可能となったときに、補正部５０は第１ライン画像及び第２ライン画像を画像バッファ３０から読み出し、画像合成部４５は合成バンド画像ＧＢ２を生成する。これにより、生成された合成バンド画像ＧＢ２の第１ライン画像と第２ライン画像との合成比率は等しくなる。
【００５３】
パターン検出部４６は、原稿検出部５４と、原稿判定部４６とをさらに備える。原稿検出部５４は、合成画像から特徴パターンを検出した場合に、第１画像及び第２画像のそれぞれから特徴パターンを検出する処理部である。原稿判定部５５は、原稿検出部５４による検出結果に基づいて特徴パターンが検出された原稿面を判定する処理部である。原稿検出部５４は、パターン検出部４６が合成画像から特徴パターンを検出した場合に、合成画像において重なり合わされる第１画像及び第２画像のいずれの画像に特徴パターンが表示されているのかを特定するため、第１画像及び第２画像のそれぞれに対して特徴パターンを検出する処理を行う。そして、原稿判定部５５は、原稿検出部５４の検出結果に基づいて、原稿の第一面及び第二面のいずれの面において特徴パターンが検出されたのか判定する。
【００５４】
原稿検出部５４が第１画像から特徴パターンが検出した場合、原稿判定部５５は第一面から特徴パターンが検出されたと判定する。他方、原稿検出部５４が第２画像から特定パターンを検出した場合、原稿判定部５５は第二面から特徴パターンが検出されたと判定する。もっとも、原稿判定部５５は、パターン検出部４６により合成画像から検出された特徴パターンが所定の態様である場合に、特徴パターンが第一面及び第二面から検出されたと判定してもよい。図８は、二枚の原稿が重ね合わせられて画像読取装置１に読み取られた場合の一例を示す図である。図８（ａ）は特定原稿の第１画像を示す図であり、図８（ｂ）は特定原稿の第２画像を示す図である。第２画像が傾斜しているのは原稿搬送の際に二枚の原稿のうちの一枚が斜行して読み取られたためである。そして、図８（ｃ）に示す第１画像と第２画像とを合成して生成された合成画像において、二つの位相の特徴パターンが検出されている。すなわち、第２画像が斜行して読み取られたために第２画像に含まれる特徴パターンも斜めに読み取られたのである。原稿判定部５５は、例えば図８（ｃ）で示すように複数の位相の特徴パターンが検出された場合に、原稿の第一面及び第二面の両方に特徴パターンが表示されていると判定する。
【００５５】
図９は、特徴パターンが表示されている異なる原稿が重ね合わせられて画像読取装置１に読み取られた場合の一例を示す図である。特定原稿の一例として株券を示す。図９（ａ）は第１画像であり、図９（ｂ）は第２画像である。二枚の株券が上下反対に重ね合わせられて画像読取装置１に１枚の原稿として読み取られたため、第２画像が上下反対に生成されたのである。そして、図９（ｃ）の合成画像では、第１画像に表示されていた特徴パターンと第２画像に表示されていた特徴パターンとが重なり合っている。このように、合成画像において複数の特徴パターン同士が重なり合う態様で表示される場合に、原稿判定部５５は、第１画像と第２画像のいずれにも特徴パターンが表示されていたと判定する。前提として、特徴パターンが第一面と第二面のいずれにも表示される特定原稿では、それぞれ正面視における同位置に特徴パターンは記載されていないものとする。この前提によると、１枚の特定原稿の両面に特徴パターンが表示される場合に、合成画像の特徴パターンは互いに重なり合わないことになる。そうすると、合成画像の特徴パターンが重なり合う場合には、１枚の特定原稿ではなく、複数の特定原稿が重ね合わせられて画像読取装置１に読み取られたと判定できる。このように合成画像の複数の特徴パターン同士が課さない合う態様で表示される場合、原稿判定部５５は、第一面と第二面のいずれからも特徴パターンが検出されたと判定する。
【００５６】
出力制御部４７は、出力制限部５２と、処理制限部５３とをさらに備える。出力制限部５２は、パターン検出部４６により合成画像から特徴パターンが検出された場合に、出力部３８による出力を禁止する処理部である。これにより、特定原稿がプリンタ部から出力されたり、ＦＡＸ部から送信されたりすることを防止できる。処理制限部５３は、パターン検出部４６により合成バンド画像から特徴パターンが検出された場合に、第１読取部２３又は第２読取部２４による第１画像又は第２画像の生成を禁止する処理部である。出力制限部５２及び処理制限部５３は、パターン検出部４６により特徴パターンが検出された場合に、例えば各部の処理を停止させることが可能なコントローラー４０に停止要求を送信し、出力や画像の生成を停止させることができる。
【００５７】
次に、本実施形態の画像読取装置１において行われる処理手順について説明する。図１０は、画像読取装置１において行われる主たる処理手順の一例を示すフローチャートである。まず、画像読取装置１がジョブ実行指示を検知すると（ステップＳ１）、記憶部に記憶する特徴パターン情報（図示せず）を参照する（ステップＳ２）。次に、原稿の第一面の読取開始タイミングか否かを判定し（ステップＳ３）、開始タイミングであると判定した場合（ステップＳ３でＹＥＳ）、第一面を読み取る第１読取処理（ステップＳ５）を行う。また、開始タイミングでないと判定した場合（ステップＳ３でＮＯ）は、第１面の読み取り処理中であるか否かを判定する（ステップＳ４）。そして、第１面の読取処理中であると判定した場合（ステップＳ４でＹＥＳ）は第１読取処理を実行し、第１面の読取処理中でないと判定した場合（ステップＳ４でＮＯ）、第１読取処理をスキップする。第１読取処理の詳細な処理手順については後述する。
【００５８】
次に、原稿の第二面の読取開始タイミングか否かを判定し（ステップＳ７）、読取開始タイミングであると判定した場合（ステップＳ７でＹＥＳ）、第二面を読み取る第２読取処理を行う（ステップＳ９）。他方、第二面の読取開始タイミングでないと判定した場合に（ステップＳ７でＮＯ）、第２面の読取処理中であるか否かを判定し（ステップＳ８）、第２面の読取処理中であると判定した場合（ステップＳ８でＹＥＳ）、第２読取処理を実行し、第２面の読取処理中でないと判定した場合（ステップＳ８でＮＯ）、第２読取処理をスキップする。第２読取処理の詳細な処理手順については後述する。
【００５９】
次に合成画像を生成する合成の開始タイミングか否かを判定し（ステップＳ１５）、開始タイミングであると判定した場合（ステップＳ１５でＹＥＳ）、合成画像を生成する合成処理を行う（ステップＳ１７）。他方、合成開始タイミングでないと判定した場合（ステップＳ１５でＮＯ）、画像合成中であるか否かを判定する（ステップＳ１６）。画像合成中であると判定した場合（ステップＳ１６でＹＥＳ）、合成処理を実行し、画像合成中でないと判定した場合（ステップＳ１６でＮＯ）、合成処理をスキップする。合成処理の詳細な処理手順については後述する。合成処理を行うと、次に特徴パターンを検出するパターン検出処理を行う（ステップＳ２０）。そして、特徴パターンを検出したか否かを判定し（ステップＳ２１）、検出しなかったと判定した場合（ステップＳ２１でＮＯ）、さらに原稿読取を終了したか否かを判定する（ステップＳ２８）。原稿読取を終了したと判定した場合（ステップＳ２８でＹＥＳ）、当該原稿は特定原稿ではなかったと言えるため、ジョブを実行して（ステップＳ３０）処理を終了する。他方、原稿読取を終了していないと判定した場合（ステップＳ２８でＮＯ）、ステップＳ３に戻り、第１読取処理以下の処理を繰り返す。
【００６０】
他方、特徴パターンを検出したと判定した場合（ステップＳ２１でＹＥＳ）、検出原稿面を判定するか否かを判定し（ステップＳ２３）、判定する場合には（ステップＳ２３でＹＥＳ）原稿面判定処理を実行して（ステップＳ２５）処理を終了する。他方、判定しない場合は（ステップＳ２３でＮＯ）原稿面判定処理をスキップして処理を終了する。
【００６１】
図１１（ａ）は、第１読取処理（図１０のステップＳ５）の具体的な処理手順の一例を示すフローチャートである。まず、原稿の第一面を読み取り（ステップＳ５１）、所定の読み取りラインに沿って読み取ることにより第１ライン画像を生成する（ステップＳ５２）。最後に画像バッファ（記憶部）へ記憶して処理を終了する。
【００６２】
図１１（ｂ）は、第２読取処理（図１０のステップＳ９）の具体的な処理手順の一例を示すフローチャートである。まず、原稿の第二面を読み取り（ステップＳ６１）、所定の読み取りラインに沿って読み取ることにより第２ライン画像を生成する（ステップＳ６２）。最後に、生成した第２ライン画像を画像バッファへ記憶させて処理を終了する（ステップＳ６３）。
【００６３】
図１２は、合成処理（図１０のステップＳ１７）の具体的な処理手順の一例を示すフローチャートである。まず、画像読取装置１は、所定数の第１ライン画像又は第２ライン画像が画像バッファ３０に記憶されているか否かを判定し（ステップＳ７１）、所定数の第１ライン画像又は第２ライン画像が記憶されていないと判定した場合（ステップＳ７１でＮＯ）、合成処理をそのまま終了する。他方、所定数の第１ライン画像又は第２ライン画像が記憶されていると判定した場合（ステップＳ７１でＹＥＳ）、次に第１ライン画像と第２ライン画像との読み出しのタイミングを揃えるために補正処理を行うか否かを判定する（ステップＳ７２）。補正を行うと判定した場合（ステップＳ７２でＹＥＳ）、補正処理を実行する（ステップＳ７３）。補正処理の具体的な処理手順については後述する。補正処理を実行すると、次に補正完了フラグがＯＮとなっているか否かを判定する（ステップＳ７４）。すなわち、補正処理において第１ライン画像と第２ライン画像の読み出しタイミングを揃えて補正完了フラグがＯＮになっている場合（ステップＳ７４でＹＥＳ）、画像バッファから第１ライン画像又は第２ライン画像を読み出す（ステップＳ７５）。そして、補正完了フラグをＯＦＦにしてから（ステップＳ７６）合成バンド画像を生成し（ステップＳ７７）、合成処理を終了する。他方、ステップＳ７２で補正処理を行わないと判定した場合（ステップＳ７２でＮＯ）、補正処理をスキップして画像バッファから第１ライン画像又は第２ライン画像を読み出し（ステップＳ７５）、合成バンド画像を生成する（ステップＳ７７）。また、補正処理を行った後に補正完了フラグがＯＮではないと判定した場合（ステップＳ７４でＮＯ）、すなわち、第１ライン画像と第２ライン画像との読み出しタイミングが揃っていないという場合には、ステップＳ７５からＳ７７の処理をスキップし、合成処理を終了する。
【００６４】
図１３は、補正処理（図１２のステップＳ７３）の具体的な処理手順の一例を示すフローチャートである。まず、第１ライン画像を読み出しは可能か否かを判定し（ステップＳ８１）、読み出し可能であると判定した場合（ステップＳ８１でＹＥＳ）には、次に、第２ライン画像の読み出しは可能か否かを判定する（ステップＳ８２）。第２ライン画像についても読み出し可能であると判定した場合（ステップＳ８２でＹＥＳ）、第１ライン画像と第２ライン画像との読み出しのタイミングを揃えることができたため、補正完了フラグをＯＮにして処理を終了する。他方、ステップＳ８１又はＳ８２において、第１ライン画像又は第２ライン画像のいずれかが読み出し可能でないと判定した場合（ステップＳ８１又はＳ８２でＮＯ）、補正完了フラグをＯＮにすることなく補正処理を終了する。画像読取装置１では第一面と第二面の読み取り位置が異なるため、第１ライン画像と第２ライン画像とが生成されるタイミングは相違する。補正処理により読み出しのタイミングを揃えることにより、読み取りタイミングに基づく相違を補正することができるのである。
【００６５】
図１４は、パターン検出処理（図１０のステップＳ２０）の具体的な処理手順の一例を示すフローチャートである。まず、画像読取装置１は、合成バンド画像があるか否か判定し（ステップＳ９１）、合成バンド画像が画像合成部４５において生成されていないと判定した場合（ステップＳ９１でＮＯ）、パターン検出処理を終了する。他方、合成バンド画像があると判定した場合（ステップＳ９１でＹＥＳ）、合成バンド画像を読み取る（ステップＳ９２）。そして、合成バンド画像を読み取って特徴パターンと一致するか否かを判定し（ステップＳ９３）、一致すると判定した場合（ステップＳ９３でＹＥＳ）、画像読取装置１はジョブを停止させ（ステップＳ９４）、特定原稿について画像読み取りの続行をしないよう制御する。他方、特徴パターンと合成バンド画像に表示される画像とが一致しないと判定した場合（ステップＳ９３でＮＯ）、ステップＳ９４をスキップする。
【００６６】
図１５は、原稿面判定処理（図１０のステップＳ２５）の具体的な処理手順の一例を示すフローチャートである。まず、合成画像から所定の態様にて特徴パターンが検出されたか否かを判定する（ステップＳ１０１）。例えば、複数の位相の特徴パターンが検出された場合や、特徴パターンが重なり合っている場合などのように、２枚の特定原稿を重ね合わせて１枚の原稿として画像読取装置１に読み取らせた場合を含む。所定の態様にて検出されたと判定した場合（ステップＳ１０１でＹＥＳ）、第一面及び第二面から特徴パターンが検出されたと判定して（ステップＳ１０２）処理を終了する。
【００６７】
他方、所定の態様にて特徴パターンが検出されなかったと判定した場合（ステップＳ１０１でＮＯ）、第１規定画像を読み出す（ステップＳ１０３）。そして、第１規定画像を読み取って、特徴パターンと一致するか否かを判定し（ステップＳ１０５）、一致すると判定した場合は、第一面から検出されたと判定して（ステップＳ１０７）処理を終了する。他方、第１規定画像と特徴パターンとが一致しなかったと判定した場合（ステップＳ１０５でＮＯ）、第２規定画像を読み出して（ステップＳ１０８）特徴パターンと一致するか否かを判定する（ステップＳ１１０）。特徴パターンと第２規定画像とが一致すると判定した場合（ステップＳ１１０でＹＥＳ）、第２面から検出されたと判定して（ステップＳ１１２）処理を終了する。他方、第２規定画像と特徴パターンとが一致しなかったと判定した場合（ステップＳ１１０でＮＯ）、パターン検出処理で誤検知であるとして検出エラーと判定する（ステップＳ１１４）。
【００６８】
なお、本実施形態では、ステップＳ１０３では第１規定画像を読み出し、ステップＳ１０８では第２規定画像を読み出した。これとは異なり、ステップＳ１０３でメモリに記憶される第１画像を読み出して特徴パターンと一致するか否か判定してもよいし、ステップＳ１０８で第２画像を読み出して特徴パターンと一致するか否か判定してもよい。また、ステップＳ１０５において、第１規定画像と特徴パターンとが一致しないと判定した場合、第二面から検知されたと判定してもよい。さらに、ステップＳ１１４において誤検知であり検出エラーであると判定した場合に、パターン検出処理において停止させているジョブを再開させてもよい。
【００６９】
（変形例）
以上、本発明に関する上記実施形態について説明したが、本発明は上述した実施形態において説明したものに限られない。すなわち、本発明は上記実施形態のほかに様々な変形例を適用可能である。
【００７０】
例えば上記実施形態では、全ての原稿読取が終了して特徴パターンが検出されなかった場合にジョブを実行する例を説明した。しかし、本発明はこれに限らず、原稿の読み取りが終了前であっても、既にパターン検出処理が行われ（図１０のステップＳ２０）、特徴パターンが検知されなかった原稿についてはジョブを実行してもよい。これにより、ジョブ実行を遅滞させることなく迅速化できる。
【００７１】
上記実施形態において、特徴パターンの検知処理では、合成画像を構成する合成バンド画像と特徴パターンとの一致を判定する例を示した。しかし、本発明はこれに限らず、合成画像が生成されてから合成画像と特徴パターンとの一致を判定してもよい。
【符号の説明】
【００７２】
１  画像読取装置
６  ＡＤＦ（搬送手段）
２３  第１読取部（第１読取手段）
２４  第２読取部（第２読取手段）
２５  第１規定画像生成部（第１規定画像生成手段）
２６  第２規定画像生成部（第２規定画像生成手段）
３０  画像バッファ（記憶手段）
４５  画像合成部（合成手段）
４６  パターン検出部（検出手段）
５０  補正部（補正手段，ライン補正手段）
５２  出力制限部（出力制限手段）
５３  処理制限部（生成制限手段）
５４  原稿検出部（原稿検出手段）
５５  原稿判定部（判定手段）
【図１】
2016171539.tif 000003
【図２】
2016171539.tif 000004
【図３】
2016171539.tif 000005
【図４】
2016171539.tif 000006
【図５】
2016171539.tif 000007
【図６】
2016171539.tif 000008
【図７】
2016171539.tif 000009
【図８】
2016171539.tif 000010
【図９】
2016171539.tif 000011
【図１０】
2016171539.tif 000012
【図１１】
2016171539.tif 000013
【図１２】
2016171539.tif 000014
【図１３】
2016171539.tif 000015
【図１４】
2016171539.tif 000016
【図１５】
2016171539.tif 000017
【図１６】
2016171539.tif 000018